(57)【要約】      （修正有）【課題】各種異なる環境下で使用可能となり、探知区域の変化の制限を受けず、その信号探知の執行を変えることができる信号探知器の提供。【解決手段】探知区域において信号が伝送されているか否かを探知可能で、信号が探知されれば警報装置により使用者に告知する。しかも、信号探知環境の差異に応じてその背景雑信号消去の条件設定を変えることができるため、効果的かつ確実に信号の探知が可能で、さらに、表示装置により探知した信号のプロトコルを表示するため、使用者は探知した信号の種類を目で見ることができる。この他、使用者は信号連接ポートを通して有線或いは無線方式で信号探知器を制御し信号探知を行うことができるため、使用者はその探知環境に応じて自ら探知条件を変えることができる。【選択図】図１
0003118193.tif 000002
【実用新案登録請求の範囲】
【請求項１】
信号探知器はＲＦレシーバー、フィルター、信号アンプ、ダイレクトコンバージョンレシーバー、データコンバーター、記憶装置、マイクロプロセッサーを包含し、
該ＲＦレシーバーは外部ＲＦ信号を受信し、
該フィルターは外部ＲＦ信号に対して濾過を行い、
該信号アンプは該濾過後のＲＦ信号を受信し、信号を拡大処理後に出力し、
該ダイレクトコンバージョンレシーバーは該拡大処理後のＲＦ信号を受信し、該ＲＦ信号を直接ベースバンド信号に転換し、
該データコンバーターは背景雑信号フィルター、雑信号参考値発生器、レベル比較器を包含し、
該背景雑信号フィルターは該ベースバンド信号が対応する電圧或いは電流信号を受信し、該雑信号参考値発生器が出力する雑信号参考値により背景雑信号の濾過を執行し、背景雑信号濾過を執行後の該信号を該レベル比較器に出力し、該レベル設定値と比較し、該濾過後の信号レベルが該レベル設定値より大きければ該濾過後の信号を出力し、
該記憶装置は該レベル比較器のレベル設定値を保存し、
該マイクロプロセッサーは該濾過後の信号を受信し、該マイクロプロセッサーは該雑信号参考値発生器に雑信号参考値を発生するよう指令を出力し、該雑信号参考値発生器を制御し、それが探知した背景雑信号の差異に基づき、異なる雑信号参考値を発生し、この他、該マイクロプロセッサーが受信した該濾過後の信号は警報装置のスタートを駆動することを特徴とする信号探知器。
【請求項２】
前記信号探知器はさらにプロトコル比較対照器を包含し、該プロトコル比較対照器はプロトコルデータベースを包含し、前記濾過後の信号を受信し、プロトコルの比較対照を行い、プロトコル確認信号を出力し、
前記マイクロプロセッサーはそのプロトコル確認信号に基づき、該外部のＲＦ信号のプロトコルを知ることを特徴とする請求項１記載の信号探知器。
【請求項３】
前記信号探知器はさらに表示装置を包含し、該表示装置は該外部のＲＦ信号のプロトコルを表示することを特徴とする請求項２記載の信号探知器。
【請求項４】
前記表示装置は液晶モニタを含むことを特徴とする請求項３記載の信号探知器。
【請求項５】
前記信号探知器はレベル調整器を包含し、該レベル調整器は前記マイクロプロセッサーに電気的に接続し、該レベル調整器のレベル設定値を制御、調整することを特徴とする請求項１記載の信号探知器。
【請求項６】
前記信号探知器は少なくとも一個の信号連接ポートを包含し、該信号連接ポートは外部の制御装置と連接し、前記マイクロプロセッサーの前記雑信号参考値発生指令の出力を制御し、また前記レベル設定値を前記記憶装置に入力することを特徴とする請求項１記載の信号探知器。
【請求項７】
前記信号探知器の信号連接ポートの少なくとも一個はＲＪ−４５連接ポートを含むことを特徴とする請求項６記載の信号探知器。
【請求項８】
前記信号探知器の信号連接ポートの少なくとも一個はＲＪ−２３２連接ポートを含むことを特徴とする請求項６記載の信号探知器。
【請求項９】
前記ＲＦレシーバーのサイクル受信範囲は３０ＭＨｚ〜６GHz であることを特徴とする請求項１記載の信号探知器。
【請求項１０】
前記警報装置はブザーであることを特徴とする請求項１記載の信号探知器。
【請求項１１】
前記警報装置はＬＥＤ であることを特徴とする請求項１記載の信号探知器。
【考案の詳細な説明】
【技術分野】
【０００１】
本考案は一種の信号探知器に関する。特に一種の信号探知環境の差異に応じてその探知条件を変えることができる信号探知器に係る。
【背景技術】
【０００２】
現代社会では携帯電話、デジカメ、ポケットベルなどの各種ハイテク製品は生活になくてはならないものになっている。しかし、この種の製品は科学技術の進歩に連れて小型化が進んでおり、このことが新たな社会問題を引起している。
【０００３】
現在、携帯電話は数字と文字を同時に表示可能で、しかもインターネットに接続しオンラインでの通話機能を提供することができる。しかし国際伝送は通信の機密保持とその掌握が困難であるという特性を具えるため、もし犯罪の道具に使われたなら、捜査機関にとっては非常にやっかいである。さらに、小型カメラなどの体積が極めて小さいハイテク製品は広く各産業で応用されているが、設置後は容易には察知できないため、最近では非合法な用途に使用され、盗撮の道具として利用されている。盗撮したテープをコピーし販売、或いは恐喝の材料にするなどの事件も起きており、一般社会の不安を煽り国民生活に暗い影を投げかけている。上記ハイテク製品は信号の伝送によりデータを取得する構造であるため、信号を探知することにより、携帯電話、小型カメラなどの装置を使用し非合法な行動を取っている人がいないかどうかを判断することができる。しかし、公知の信号探知の装置は探知環境の変化に応じて探知条件を変えることができないため、実際の使用においては問題を生じている。
【考案の開示】
【考案が解決しようとする課題】
【０００４】
上記課題を解決するため、本考案は下記の信号探知器を提供する。
それはＲＦレシーバー、フィルター、信号アンプ、ダイレクトコンバージョンレシーバー、データコンバーター、記憶装置、マイクロプロセッサーを包含し、該ＲＦレシーバーは外部ＲＦ信号を受信し、該フィルターは外部ＲＦ信号に対して濾過を行い、該信号アンプは該濾過後のＲＦ信号を受信し、信号を拡大処理後に出力し、該ダイレクトコンバージョンレシーバーは該拡大処理後のＲＦ信号を受信し、該ＲＦ信号を直接ベースバンド信号に転換し、該データコンバーターは背景雑信号フィルター、雑信号参考値発生器、レベル比較器を包含し。該背景雑信号フィルターは該ベースバンド信号が対応する電圧或いは電流信号を受信し、該雑信号参考値発生器が出力する雑信号参考値により背景雑信号の濾過を執行し、背景雑信号濾過を執行後の該信号を該レベル比較器に出力し、該レベル設定値と比較し、該濾過後の信号レベルが該レベル設定値より大きければ該濾過後の信号を出力し、該記憶装置は該レベル比較器のレベル設定値を保存し、該マイクロプロセッサーは異常信号を受信し、該マイクロプロセッサーは該雑信号参考値発生器に雑信号参考値を発生するよう指令を出力し。該雑信号参考値発生器を制御し、それが探知した背景雑信号の差異に基づき、異なる雑信号参考値を発生し、この他、該マイクロプロセッサーは該信号異常警報信号を受信すると警報装置のスタートを駆動し、
こうして本考案は探知区域において信号が伝送されているか否かを探知可能で、信号が探知されれば警報装置により使用者に告知し、しかも、信号探知環境の差異に応じてその背景雑信号消去の条件設定を変えることができるため、効果的かつ確実に信号の探知が可能である。
【０００５】
さらに本考案はプロトコル比較対照器を包含し。該プロトコル比較対照器はプロトコルデータベースを包含し、該濾過後の信号を受信し、プロトコルの比較対照を行いプロトコル確認信号を出力し、該マイクロプロセッサーはそのプロトコル確認信号に基づき、該外部のＲＦ信号のプロトコルを知り、本考案はさらに表示装置により探知した信号のプロトコルを表示するため、使用者は探知した信号の種類を目で見ることができる。
【０００６】
この他、本考案は少なくとも一個の信号連接ポートを含むため、該信号連接ポートは外部制御装置に連接し、該マイクロプロセッサーが出力する該雑信号参考値発生指令の出力を制御し、またレベル設定値を該記憶装置に入力し、こうして使用者はその探知環境に応じて自ら探知条件を変えることができ、使用上の利便性を大幅に向上させることができることを特徴とする信号探知器である。
【課題を解決するための手段】
【０００７】
請求項１の考案は、信号探知器はＲＦレシーバー、フィルター、信号アンプ、ダイレクトコンバージョンレシーバー、データコンバーター、記憶装置、マイクロプロセッサーを包含し、
該ＲＦレシーバーは外部ＲＦ信号を受信し、
該フィルターは外部ＲＦ信号に対して濾過を行い、
該信号アンプは該濾過後のＲＦ信号を受信し、信号を拡大処理後に出力し、
該ダイレクトコンバージョンレシーバーは該拡大処理後のＲＦ信号を受信し、該ＲＦ信号を直接ベースバンド信号に転換し、
該データコンバーターは背景雑信号フィルター、雑信号参考値発生器、レベル比較器を包含し、
該背景雑信号フィルターは該ベースバンド信号が対応する電圧或いは電流信号を受信し、該雑信号参考値発生器が出力する雑信号参考値により背景雑信号の濾過を執行し、背景雑信号濾過を執行後の該信号を該レベル比較器に出力し、該レベル設定値と比較し、該濾過後の信号レベルが該レベル設定値より大きければ該濾過後の信号を出力し、
該記憶装置は該レベル比較器のレベル設定値を保存し、
該マイクロプロセッサーは該濾過後の信号を受信し、該マイクロプロセッサーは該雑信号参考値発生器に雑信号参考値を発生するよう指令を出力し、該雑信号参考値発生器を制御し、それが探知した背景雑信号の差異に基づき、異なる雑信号参考値を発生し、この他、該マイクロプロセッサーが受信した該濾過後の信号は警報装置のスタートを駆動することを特徴とする信号探知器としている。
請求項２の考案は、前記信号探知器はさらにプロトコル比較対照器を包含し、該プロトコル比較対照器はプロトコルデータベースを包含し、前記濾過後の信号を受信し、プロトコルの比較対照を行い、プロトコル確認信号を出力し、
前記マイクロプロセッサーはそのプロトコル確認信号に基づき、該外部のＲＦ信号のプロトコルを知ることを特徴とする請求項１記載の信号探知器としている。
請求項３の考案は、前記信号探知器はさらに表示装置を包含し、該表示装置は該外部のＲＦ信号のプロトコルを表示することを特徴とする請求項２記載の信号探知器としている。
請求項４の考案は、前記表示装置は液晶モニタを含むことを特徴とする請求項３記載の信号探知器としている。
請求項５の考案は、前記信号探知器はレベル調整器を包含し、該レベル調整器は前記マイクロプロセッサーに電気的に接続し、該レベル調整器のレベル設定値を制御、調整することを特徴とする請求項１記載の信号探知器としている。
請求項６の考案は、前記信号探知器は少なくとも一個の信号連接ポートを包含し、該信号連接ポートは外部の制御装置と連接し、前記マイクロプロセッサーの前記雑信号参考値発生指令の出力を制御し、また前記レベル設定値を前記記憶装置に入力することを特徴とする請求項１記載の信号探知器としている。
請求項７の考案は、前記信号探知器の信号連接ポートの少なくとも一個はＲＪ−４５連接ポートを含むことを特徴とする請求項６記載の信号探知器としている。
請求項８の考案は、前記信号探知器の信号連接ポートの少なくとも一個はＲＪ−２３２連接ポートを含むことを特徴とする請求項６記載の信号探知器としている。
請求項９の考案は、前記ＲＦレシーバーのサイクル受信範囲は３０ＭＨｚ〜６ＧＨｚであることを特徴とする請求項１記載の信号探知器としている。
請求項１０の考案は、前記警報装置はブザーであることを特徴とする請求項１記載の信号探知器としている。
請求項１１の考案は、前記警報装置はＬＥＤであることを特徴とする請求項１記載の信号探知器としている。
【考案の効果】
【０００８】
上記のように、本考案の信号探知器はその信号探知環境の差異に応じて、その背景雑信号濾過を変えることができ、これにより信号探知器は各種異なる環境下で使用可能となり、探知区域の変化の制限を受けず、その信号探知の執行を変えることができる。さらに本考案は表示装置により使用者ははっきりと受信した信号のプロトコルを目で確かめることができる。この他、使用者はコンピュータを応用し信号連接ポートを通して信号探知器の執行を制御し、使用上の利便性を向上させることができる。
【考案を実施するための最良の形態】
【０００９】
図１に示すように、本考案信号探知器１０はＲＦレシーバー１１、フィルター１２、信号アンプ１３、ダイレクトコンバージョンレシーバー１４、データコンバーター１５、プロトコル比較対照器１６、マイクロプロセッサー１７、記憶装置１８を含む。本実施例中では該ＲＦレシーバー１１は外部ＲＦ信号の受信に用い、そのサイクル受信範囲は３０ＭＨｚ〜６GHz である。該ＲＦレシーバー１１が外部ＲＦ信号を受信すると、該フィルター１２は受信した外部ＲＦ信号に対して濾過を行う。続いて、該信号アンプ１３に出力し、信号の拡大処理を行う。この時、該ダイレクトコンバージョンレシーバー１４は受信した信号を受け取り、ベースバンド信号に直接転換する。該ダイレクトコンバージョンレシーバー１４は一種のゼロMFレシーバーであるため、MF回路の転換を経由する必要がなく、ＲＦ信号によりベースバンド信号に直接転換することができる。
【００１０】
本実施例において、該データコンバーター１５は背景雑信号フィルター１５１、雑信号参考値発生器１５２、レベル比較器１５３を含む。該背景雑信号フィルター１５１は該ダイレクトコンバージョンレシーバー１４が出力するベースバンド信号に対応する電圧値（ボルト、V ）或いは電流値（アンペア、mA）を受信する。ＲＦ信号の伝送時には、そのＲＦ信号の強度値に応じて相対する電圧或いは電流値を取得するため、本実施例中では電圧を例とする。さらに、該背景雑信号フィルター１５１は該雑信号参考値発生器１５２が出力した雑信号参考値（例えば、０．７Ｖなど）を一緒に受信し、背景雑信号の濾過を行う。本実施例中では、雑信号参考値は該マイクロプロセッサー１７により該雑信号参考値発生器１５２に出力される雑信号発生指令により発生する数値で、背景雑信号の濾過を執行後の信号は該レベル比較器１５３に出力される。この時、該レベル比較器１５３は該マイクロプロセッサー１７によりレベル設定値を取得する。本実施例では該記憶装置１８はＥＥＰＲＯＭが最適で、レベル設定値を保存する。この２種の数値を比較し、比較対照結果が外部から取得したＲＦ信号のレベルがレベル設定値より大きいとなれば、この探知区域で異常な信号が伝送されていることを表す。この濾過後の信号を該プロトコル比較対照器１６及び該マイクロプロセッサー１７に伝送する。
【００１１】
本実施例中では該信号探知器１０はレベル調整器１を包含し、該マイクロプロセッサー１７に電気的に接続し、レベル設定値を調整（上昇調整或いは下降調整）する。異常な信号の伝送を探知した時には、該レベル調整器２１によりそのレベル設定値を上昇調整し、信号発信源の位置を正確に探し当てることができる。例えば、小型カメラの信号を捜査している時に、異常な信号の伝送を探知した場合には、この方式により徐々にそのレベル設定値を上昇調整することができる。レベル設定値を上昇調整しても比較対照結果では、依然として外部から取得したＲＦ信号のレベルがレベル設定値より大きいとなると、この信号探知器は既に信号の発射地点に徐々に近づいていることを表している。こうして小型カメラの所在を割り出すことができる。
【００１２】
本実施例では該プロトコル比較対照器１６はプロトコルデータベース１６１を包含し、濾過後の信号を受信し、該プロトコルデータベース１６１を応用し比較対照を行うことができる。さらに、プロトコル確認信号を該マイクロプロセッサー１７に出力し、該マイクロプロセッサー１７にこの信号はどの種のプロトコル（ＧＳＭ、ＧＰＲＳ或いは画像伝送信号など）であるかを通知する。このため、該マイクロプロセッサー１７はプロトコル確認信号と濾過後の信号を受信後は、そのプロトコル確認信号により該ＲＦレシーバー１１が受信したＲＦ信号のプロトコルがどの種であるかを知ることができる。こうして、該マイクロプロセッサー１７はそのプロトコルに応じて該雑信号参考発生器１５２に指令を発し、これにより該雑信号参考値発生器１５２を制御し、その探知したＲＦ信号の差異に応じて異なる雑信号参考値を発生する。こうして探知条件は探知区域の環境に符合するようになる。この他、該マイクロプロセッサー１７が濾過後の信号を受信する時、この探知区域に信号が伝送されていることを表し、該警報装置１９のスタートを駆動し、使用者に信号が伝送されていることを通知することができる。該警報装置１９はブザー或いはLED で、音声と光による警告効果を達成することができる。
【００１３】
次に図２に示すように、本考案の別種の実施例では信号探知器１０は表示装置２０を含む。該表示装置２０は該ＲＦレシーバー１１が受信したＲＦ信号のプロトコルを表示することができ、該マイクロプロセッサー１７がプロトコル確認信号を受信後、該表示装置２０により該受信した信号のプロトコルを表示する。こうして、使用者はさらにはっきりと受信した信号のプロトコルの種類を知ることができる。
本実施例中の表示装置は液晶モニタであることが望ましいが、これに限るものではなく、ＬＥＤパネルなどの同様の表示機能を具えた装置を採用することができる。
【００１４】
続いて図３に示すように、本考案のさらに別種の実施例では、信号探知器１０はＲＪ−４５連接ポート２１、ＲＪ−２３２連接ポート２２などの信号連接ポートを含む。これにより、有線或いは無線インターネット伝送方式を通して外部の制御装置（コンピュータが最適）に連接し、コンピュータを利用し、該信号探知器２０のマイクロプロセッサー１７をリモートコントロールし、雑信号参考値発生指令を該雑信号参考値発生器１５２に出力し、レベル設定値を該機記憶装置１８に一緒に入力し、使用上の利便性を向上させることができる。
【図面の簡単な説明】
【００１５】
【図１】本考案最適実施例の機能ブロックチャートである。
【図２】本考案別種の最適実施例の機能ブロックチャートである。
【図３】本考案さらに別種の最適実施例の機能ブロックチャートである。
【符号の説明】
【００１６】
１０  信号探知器
１１  ＲＦレシーバー
１２  フィルター
１３  信号アンプ
１４  ダイレクトコンバージョンレシーバー
１５  データコンバーター
１５１  背景雑信号フィルター
１５２  雑信号参考値発生器
１５３  レベル比較器
１６  プロトコル比較対照器
１６１  プロトコルデータベース
１７  マイクロプロセッサー
１８  記憶装置
１９  警報装置
２０  表示装置
２１  ＲＪ−４５連接ポート
２２  ＲＪ−２３２連接ポート
【図１】
0003118193.tif 000003
【図２】
0003118193.tif 000004
【図３】
0003118193.tif 000005